【事件の表示】
　特許第３３３９８４９号「下肢用マッサージ機とこのマッサージ機を用いた椅子型マッサージ装置」の請求項１ないし６に係る特許に対する特許異議の申立てについて、次のとおり決定する。
【結　論】
　訂正を認める。
　特許第３３３９８４９号の請求項１ないし８に係る特許を維持する。
【理　由】
１．手続の経緯　
　特許第３３３９８４９号の請求項１〜９に係る発明は、平成１２年４月６日に特許出願され、平成１４年８月１６日にその特許権の設定登録がなされ、その後、中山健三より請求項１〜６について特許異議の申立がなされ、取消の理由が通知され、その指定期間内である平成１６年１月１９日に訂正請求がなされたものである。
　　
２．訂正の適否についての判断
（１）訂正の内容
訂正事項ａ
　特許請求の範囲の請求項１について、「下肢（６）の長さ方向に長い板材」とあるのを「
幅方向よりも
、前記左右一対のマッサージ部材（７，７）は、板厚方向に弾性変形可能な板ばねよりなる
　請求項２〜６について、上記請求項１に対する訂正と同じ訂正をする。
　
訂正事項ｂ
　請求項７を削除すると共に、請求項８、９を請求項７、８に繰り上げ、
　請求項７、８について、上記請求項１に対する訂正と同じ訂正をすると共に、引用する請求項をそれぞれ、１〜６、１〜７に変更する。
　　
訂正事項ｃ
　　明細書の段落【０００７】について、「下肢の長さ方向に長い板材」を「
幅方向よりも
、前記左右一対のマッサージ部材（７，７）は、板厚方向に弾性変形可能な板ばねよりなる
　また、明細書の段落【００１１】について、「弾性変形可能な板材で構成すれば」とあるのを「弾性変形可能な板材で構成
しているので
　　
（２）訂正の目的の適否、新規事項の有無及び拡張・変更の存否
　上記訂正事項ａの請求項１についての訂正は、訂正前の請求項７に記載されていた事項を追加し、また、第８、９図等から明らかな、マッサージ部材（７，７）が幅方向よりも下肢の長さ方向に長い板材であるという事実に基き、基準が不明確な「長い」を「幅方向よりも長い」とするもので、特許請求の範囲の減縮及び明りょうでない記載の釈明を目的とする訂正に該当し、新規事項の追加に該当せず、実質上特許請求の範囲を拡張し又は変更するものではない。
　また、請求項２〜６についての訂正は、請求項１についての訂正と同じ訂正を訂正前の請求項２〜６に対して行うものであるから、特許請求の範囲の減縮及び明りょうでない記載の釈明を目的とする訂正に該当し、新規事項の追加に該当せず、実質上特許請求の範囲を拡張し又は変更するものではない。
　上記訂正事項ｂのうち、訂正前の請求項７を削除することは、特許請求の範囲の減縮を目的とするものに該当し、請求項７、８ついての訂正は、訂正前の請求項８、９に対して請求項１に対する訂正と同じ訂正を行うものと訂正前の請求項８、９に相当するものを含む形式とするものであるから、請求項１と同様に、特許請求の範囲の減縮及び明りょうでない記載の釈明を目的とする訂正に該当し、新規事項の追加に該当せず、実質上特許請求の範囲を拡張し又は変更するものではない。
  上記訂正事項ｃは、上記訂正事項ａと整合を図るものであり、明りょうでない記載の釈明を目的とするものであり、新規事項の追加に該当せず、実質上特許請求の範囲を拡張し又は変更するものでもない。
　　
（３）むすび
　　したがって、上記訂正事項ａ、ｃは特許法第１２０条の４第２項及び同条第３項で準用する第１２６条第２項及び第３項の規定に適合するので、当該訂正を認める。
　また、上記訂正事項ｂも後記する理由により、請求項７、８に係る発明が独立して特許を受けることができるものであり、特許法第１２０条の４第２項及び同条第３項で準用する第１２６条第２項〜第４項の規定に適合するので、当該訂正を認める。
　　
３．特許異議申立てについての判断
（１）申立ての理由の概要
　特許異議申立人中山健三は、請求項１〜６に係る発明は、甲第１号証（特開平５−４２１８７号公報）、甲第２号証（特開平１０−２６３０３０号公報）、甲第３号証（特開２０００−５１３０１号公報）、甲第４号証（特開平６−５４８８５号公報）及び甲第５号証（実開平５−３７２３７号公報 ）に記載された発明に基いて当業者が容易に発明をすることができたものであり、特許法第２９条第２項の規定により特許を受けることができないものであるから、特許を取り消すべきであると主張している。また、請求項１における、「下肢の長さ方向に長い」の「長い」は、どの程度の長さをいうのか不明であり、発明を明確に特定できないから、特許法第３６条第６項に規定する要件を満たしておらず、特許を取り消すべきであると主張している。
（２）本件の請求項１に係る発明
　上記２．で示したように上記訂正が認められるから、本件の請求項１に係る発明は、上記訂正に係る訂正明細書の請求項１に記載された事項により特定される次のとおりのものである。
　「一つの下肢（６）を間に挟み込める程度に離れた状態で相対向して配置されておりその幅方向よりも下肢（６）の長さ方向に長い板材よりなる左右一対のマッサージ部材（７，７）を有する揉み手段（８）と、この左右一対のマッサージ部材（７，７）をその長手方向が互いに逆向きに傾斜した状態で接近離反させるとともに、その接近離反の際に当該各マッサージ部材（７，７）の長手方向の前記下肢（６）の長さ方向に対する傾斜度合いを変化させる駆動手段（１４）と、を備え、前記左右一対のマッサージ部材（７，７）は、板厚方向に弾性変形可能な板ばねよりなる下肢用マッサージ機。」
（３）刊行物等
　特許異議申立人が証拠として提出した刊行物には、それぞれ、以下のような発明及び技術事項が記載されている。
刊行物１：特開平５−４２１８７号公報
　　　　　　一つの下肢を間に挟み込める程度に離れた状態で相対向して配　　　　　置されており板材よりなる 左右一対のマッサージ部材（４，４　　　　　）を有する揉み手段と、左右一対のマッサージ（４，４）をその　　　　　径方向が互いに逆向きに傾斜した状態で接近離反させるとともに　　　　　、その接近離反の際に当該マッサージ（４，４）の径方向の前記　　　　　下肢の長さ方向に対する傾斜度合いを変化させる駆動手段（３，　　　　　４０，４３）とを備えた下肢用マッサージ機の発明。
刊行物２：特開平１０−２６３０３０号公報
　　　　　　マッサージ部材を一方向が長い袋体から構成すること。
刊行物３：特開２０００−５１３０１号公報
　　　　　　マッサージ部材として長尺状のエアバッグや板材を選択し、ま　　　　　た、脚部の形状に対応させること。
刊行物４：特開平６−５４８８５号公報
　　　　　  二つの揉み手段が、同手段の各マッサージ部材間で構成される　　　　　下肢の施療凹部が同じ方向を向くように左右に離れて並設される　　　　　こと。
刊行物５：実開平５−３７２３７号公報
　　　　　　二つの揉み手段が、同手段の各マッサージ部材間で構成される　　　　　下肢の施療凹部が同じ方向を向くように左右に離れて並設される　　　　　こと。
（４）対比・判断
　本件請求項１に係る発明と上記刊行物１〜５に記載された発明及び技術事項とを対比すると、上記刊行物１〜５のいずれに記載されたものも、本件請求項１に係る発明を特定する事項である「左右一対のマッサージ部材（７，７）は、板厚方向に弾性変形可能な板ばねよりなる」点を備えていない。そして、本件請求項１に係る発明は、当該事項により、「一つの下肢（６）を間に挟み込める程度に離れた状態で相対向して配置されておりその幅方向よりも下肢（６）の長さ方向に長い板材よりなる左右一対のマッサージ部材（７，７）を有する揉み手段（８）と、この左右一対のマッサージ部材（７，７）をその長手方向が互いに逆向きに傾斜した状態で接近離反させるとともに、その接近離反の際に当該各マッサージ部材（７，７）の長手方向の前記下肢（６）の長さ方向に対する傾斜度合いを変化させる駆動手段（１４）と、を備え 」たマッサージ機において、下肢を広範囲に押圧できるとともに下肢を強く押圧し過ぎることを防止するという顕著な効果を奏するものである。そうすると、本件請求項１に係る発明が上記刊行物１〜５に記載された発明から容易に発明をすることができたものとはいえない。
　また、マッサージ部材の下肢方向の長さについては、上記訂正事項ａにより「幅方向よりも下肢の長さ方向に長い」と明確になったので、特許法第３６条第６項の規定を満たしている。
　したがって、特許異議申立の理由及び証拠によっては、本件請求項１に係る発明の特許を取り消すことができない。
　また、請求項２〜６に係る発明は、請求項１に係る発明に限定を加えたものであるから同様の理由によりその特許を取り消すことができない。
　そして、請求項７、８に係る発明も、請求項１に係る発明に限定を加えたものであるから、請求項１に係る発明につき、上述したのと同様の理由により特許を取り消すことができない。
（５）むすび
　以上のとおりであるから、特許異議申立の理由及び証拠によっては、請求項１〜６に係る発明の特許を取り消すことができない。また、他に請求項１〜８に係る発明の特許を取り消すべき理由を発見しない。
　よって、結論のとおり決定する。
【異議決定日】
平成１６年２月２６日（２００４．２．２６）
【訂正の要旨】
審決（決定）の【理由】欄参照。
（５４）【発明の名称】
下肢用マッサージ機とこのマッサージ機を用いた椅子型マッサージ装置
（５７）【特許請求の範囲】
　【請求項１】　一つの下肢（６）を間に挟み込める程度に離れた状態で相対向して配置されておりその
幅方向よりも
、前記左右一対のマッサージ部材（７，７）は、板厚方向に弾性変形可能な板ばねよりなる
　【請求項２】　駆動手段（１４）は、左右一対のマッサージ部材（７，７）の長手方向一端部同士が近づくと同方向他端部同士が遠ざかりかつその長手方向一端部同士が遠ざかると同方向他端部同士が近づくように当該左右一対のマッサージ部材（７，７）を駆動する請求項１に記載の下肢用マッサージ機。
　【請求項３】　駆動手段（１４）は、左右一対のマッサージ部材（７，７）を互いに接近離反させる際に、同マッサージ部材（７，７）の幅方向の前記下肢（６）の太さ方向に対する傾斜度合いを変化させる請求項１又は２に記載の下肢用マッサージ機構。
　【請求項４】　駆動手段（１４）は、左右一対のマッサージ部材（７，７）に対して相対回転自在となるようにその各マッサージ部材（７，７）を板厚方向に貫通する回転軸（４）と、この回転軸（４）の軸方向中途部に固定されかつ同回転軸（４）に対して傾斜したカム面（２１）を前記各マッサージ部材（７，７）に当接させている左右一対のカム部材（１５，１５）と、前記左右一対のマッサージ部材（７，７）が前記回転軸（４）の軸方向に移動するのを許容した状態で同回転軸（４）に連れ回りされるのを規制するガイド部材（１６）と、を備えている請求項１〜３のいずれかに記載の下肢用マッサージ機。
　【請求項５】　二つの揉み手段（８，８）が、同手段（８）の各マッサージ部材（７，７）間で構成される下肢（６）の施療凹部（１３）が同じ方向に向くように左右に離れて並設されている請求項１〜４のいずれかに記載の下肢用マッサージ機。
　【請求項６】　回転軸（４）を回転させるための駆動モータ（５）が二つの揉み手段（８，８）の間に配置されている請求項５に記載の下肢用マッサージ機。
　【請求項７】　
左右一対のマッサージ部材（７，７）は、その間に挟み込まれる下肢（６）の下部側に対応する部分が同下肢（６）の上部側に対応する部分よりも当該下肢（６）に近づく形状に形成されている
　【請求項８】　
人体の臀部を下方から支持する座部（２８）と、この座部（２８）の後端部に連結された背もたれ部（２９）と、前記座部（２８）の前部に設けられかつ請求項１〜７のいずれかに記載の下肢用マッサージ機（１）を有するフットレスト（３１）と、を備えている椅子型マッサージ装置。
【発明の詳細な説明】
　【０００１】
　【発明の属する技術分野】
　本発明は、下肢用マッサージ機とこのマッサージ機を用いた椅子型マッサージ装置に関するものである。
　【０００２】
　【従来の技術】
　従来より、人体の背中や臀部だけでなく下肢（特に、膝下から足首近傍にかけての部分）をマッサージすることができる椅子型マッサージ装置として、例えば、特許第３０１２７８０号公報に記載されたものがあり、このマッサージ装置は、人体の臀部を下方から支持する座部と、この座部の後端部に設けられかつ内部にマッサージ機構を有する背もたれ部と、その座部の前端部に連結されかつ下肢に対するマッサージ機能を有するフットレストとを備えている。
　【０００３】
　かかるフットレストは、左右の両側壁と中間壁との間で下肢を収容できる左右一対の施療凹部を備えており、その両側壁の内側面と中間壁の両側面とにそれぞれエアバッグが設けられている。このため、従来のフットレストでは、各エアバッグをエア給排装置で膨張・収縮させることにより、各施療凹部内に嵌め込まれた両下肢を同時にマッサージできるようになっている。
　上記フットレストに使用されているエアバッグの場合、通常、中央部の膨らみが最も大きく両端部に向かうほど膨らみが小さくなっているので、下肢の長手方向の狭い範囲でしか十分な押圧力が得られず、所望のマッサージ効果を得るためにはユーザーが自ら下肢を施療凹部に沿って移動させる必要があるという欠点がある。
　【０００４】
　【発明が解決しようとする課題】
　そこで、例えば特開平１１−３４７０８２号公報に示すように、複数のエアバッグを各施療凹部の長手方向に沿って隣接して並設し、この複数のエアバッグに同時又は順次にエアを給排するようにして、下肢をその長手方向の広範囲に渡って効果的にマッサージできるようにしたフットレストが既に提案されている。
　しかるに、かかるマッサージ機では、一つの施療凹部の左右両側に複数のエアバッグ（マッサージ部材）を同凹部の長手方向に沿って並設する必要があるため、専ら部品点数が多くなって製造コストが高くなるという欠点がある。
　【０００５】
　また、エアバッグ式のマッサージ機の場合、コンプレッサー、エア配管、電磁弁及びその弁の制御手段等よりなるエア給排装置が必要となる点で、元来、装置が大型かつ高価であるという欠点があるところ、複数のエアバッグを同時又は順次に膨張・収縮させるためにはそのエア給排装置の制御手段のプログラムも複雑になり、この点で製造コストがますます増大することになる。
　一方、かかるエアバッグ式のマッサージ機に内在する根本的な欠点を解消する手段として、施療凹部を構成する両壁部そのものを下肢に対して接近・離反させる機構を採用することが考えられる。
　【０００６】
　しかしながら、施療凹部を構成する両壁部を単に平行移動させて下肢に対して接近・離反させると、その両側壁が下肢の太い部分（例えば、ふくらはぎ）だけを押圧し下肢の細い部分（例えば、足首の近傍）を好適にマッサージすることはできない。また、その両壁部を平行移動させるだけでは、下肢に対する揉み上げ又は揉み下げといった複雑なマッサージ運動を行うこともできない。
　本発明は、このような実情に鑑み、複数のマッサージ部材を下肢の長さ方向に並設しなくても同下肢を広範囲に押圧できるようにして、下肢を広範囲かつ適切にマッサージできるマッサージ機を安価に得ることを目的とする。
　【０００７】
　【課題を解決するための手段】
　前記した目的を達成するために、本発明は次の技術的手段を講じた。
　すなわち、本発明の下肢用マッサージ機は、一つの下肢を間に挟み込める程度に離れた状態で相対向して配置されておりその
幅方向よりも
、前記左右一対のマッサージ部材（７，７）は、板厚方向に弾性変形可能な板ばねよりなる
　【０００８】
　この場合、左右一対のマッサージ部材の間に一つの下肢を間に挟み込んだ状態で駆動手段を作動すると、長手方向が互いに逆向きに傾斜した状態で各マッサージ部材が接近離反し、その間に挟み込まれた下肢をマッサージする。
　そして、本発明では、マッサージ部材が単に平行移動するだけでなく、その接近離反の際に下肢の長さ方向に対するマッサージ部材の長手方向の傾斜度合いが変化するので、マッサージ部材が下肢の長さ方向に渡る太さの異なる各部分を適切に押圧する。このため、複数のマッサージ部材を下肢の長さ方向に沿って並設しなくても、下肢の長さ方向に渡る広範囲の部分を適切にマッサージすることができる。
　【０００９】
　また、各マッサージ部材が接近離反する際に、下肢の長さ方向に対する各マッサージ部材の長手方向の傾斜度合いが変化するので、下肢に対する揉み上げ又は揉み下げといった複雑なマッサージ運動を行えるようになる。
　上記の本発明において、駆動手段により、左右一対のマッサージ部材の長手方向一端部同士が近づくと同方向他端部同士が遠ざかりかつその長手方向一端部同士が遠ざかると同方向他端部同士が近づくように当該左右一対のマッサージ部材を駆動するようにすれば、左右一対のマッサージ部材の長手方向両端部によって下肢の長さ方向に離れた施療部分を異なるタイミングで交互にマッサージすることができ、下肢に対するマッサージ効果を向上できるようになる。
　【００１０】
　また、駆動手段により、左右一対のマッサージ部材を互いに接近離反させる際に、同マッサージ部材の幅方向の前記下肢の太さ方向に対する傾斜度合いを変化させるようにすれば、下肢の太さ方向においても、下肢に対する揉み上げ又は操み下げといった複雑なマッサージ運動を行うことができる。
　上記の作用を行う駆動手段は、より具体的には、左右一対のマッサージ部材に対して相対回転自在となるようにその各マッサージ部材を板厚方向に貫通する回転軸と、この回転軸の軸方向中途部に固定されかつ同回転軸に対して傾斜したカム面を前記各マッサージ部材に当接させている左右一対のカム部材と、前記左右一対のマッサージ部材が前記回転軸の軸方向に移動するのを許容した状態で同回転軸に連れ回りされるのを規制するガイド部材と、を備えたものを採用することができる。
　【００１１】
　また、本発明において、二つの揉み手段を、同手段の各マッサージ部材間で構成される下肢の施療凹部が同じ方向に向くように左右に離れて並設するようにすれば、二つの揉み手段によって一対の下肢を同時にマッサージすることができる。そして、この場合、回転軸を回転させるための駆動モータを二つの揉み手段の間に配置するようにすれば、当該マッサージ機の幅方向寸法をコンパクト化することができる。
　更に、本発明において、左右一対のマッサージ部材を板厚方向に弾性変形可能な板ばねより構成
しているので
　【００１２】
　また、本発明において、左右一対のマッサージ部材を、その間に挟み込まれる下肢の下部側に対応する部分が同下肢の上部側に対応する部分よりも当該下肢に近づく形状に形成するようにすれば、下肢の下部側に対する押圧力と上部側に対する押圧力が平均化され、下肢の各部に対するマッサージ効果を均一化することができる。
　以上説明した下肢用マッサージ機は、床やベッドの上に載置して使用する単体のマッサージ機として使用することもできるし、椅子型マッサージ装置のフットレストとして使用することもできる。
　【００１３】
　すなわち、本発明の椅子型マッサージ装置は、人体の臀部を下方から支持する座部と、この座部の後端部に連結された背もたれ部と、前記座部の前部に設けられかつ前記下肢用マッサージ機を有するフットレストと、を備えたものである。なお、このフットレストは、座部の前端部に着脱自在又は一体に連結してもよいし、座部の前端部から離れた状態で配置してもよい。
　【００１４】
　【発明の実施の形態】
　以下、図面に基づいて本発明の実施の形態を説明する。
　図１及び図２に示すように、本実施形態の下肢用マッサージ機１は、横長のほぼ長方形状に形成されたベースプレート２と、このベースプレート２の長手方向両端部に立設した支持ブラケット３，３間に回転自在に挿通された一本の回転軸４と、この回転軸４を回転駆動するための駆動モータ５と、人の下肢６の長さ方向に長い板材よりなる左右一対のマッサージ部材７，７をそれぞれ有している二つの揉み手段８，８と、を備えている。
　【００１５】
　このうち、ベースプレート２は、横方向長さが縦方向長さの約二倍程度の板材よりなり、左右両端部に前記支持ブラケット３，３を備えている。回転軸４は、その軸方向がベースプレート２の長手方向（図１の左右方向）と一致するように同プレート２の縦方向中央部に配置されており、この回転軸４の軸方向両端部は前記支持ブラケット３，３の内部に設けたベアリング（図示せず）に回転自在に挿通されている。
　前記駆動モータ５は、正逆回転可能な電動モータよりなり、ベースプレート２の長手方向中央部でかつ前記二つの揉み手段８，８の間に配置されている。この駆動モータ５の駆動軸にはウォームギア９が固定され、このギア９は回転軸４の軸方向中央部に固定したウォームホイール１０に噛合しており、これらのギア９及びホイール１０はベースプレート２の中央部に設けたギアケース１１内に収納されている。従って、当該駆動モータ５を正逆回転することにより、上記ギア９及びホイール１０より構成された駆動機構を介して回転軸４を正逆回転できるようになっている。
　【００１６】
　左右の揉み手段８，８は、中央部に回転軸４が相対回転自在となるように貫通されている左右一対の前記マッサージ部材７，７と、下肢６を下方から支持する載置台１２と、を備えている。各マッサージ部材７，７は、一つの下肢６を間に挟み込める程度に離れた状態で相対向して配置され、かつ、その下肢６の長さ方向に長い板材より構成されている。
　図１に示すように、各マッサージ部材７，７は、下肢６の膝下部分から足首の近傍部分に行き渡る程度の長手方向長さＬを備えている。また、図２に示すように、各マッサージ部材７，７は、載置台１２の上面（施療凹部１３の底面に相当する。）から当該マッサージ部材７，７の上縁までの高さＨが下肢６の最大太さ点Ｐよりも高くなるように、その幅方向長さが設定されている。しかして、これら左右一対のマッサージ部材７，７と載置台１２とから、下肢６の膝下部分を丁度嵌め込むことができかつ同下肢６の長さ方向に長い溝形状の施療凹部１３が形成されている。
　【００１７】
　そして、二つの揉み手段８，８は、ギアケース１１と左側の支持ブラケット３との間、及び、同ギアケース１１と右側の支持ブラケット３との間にそれぞれ配置されており、上記施療凹部１３が互いに同じ方向に向くように左右に離れて並設されている。
　本実施形態の下肢用マッサージ機１は、各マッサージ部材７，７の長手方向の下肢６の長さ方向に対する傾斜度合いが変化するように、当該各マッサージ部材７，７を接近離反させる駆動手段１４を備えている。この駆動手段１４は、前記回転軸４と、この回転軸４の軸方向中途部に固定された左右一対のカム部材１５，１５と、各マッサージ部材７，７が回転軸４の軸方向に移動するのを許容した状態で同回転軸４に連れ回りされるのを規制するガイド部材１６，１６と、を備えている。
　【００１８】
　図１及び図２に示すように、回転軸４は、各マッサージ部材７，７に対して相対回転自在となるように、各マッサージ部材７，７の長手方向中央部でかつ幅方向下側よりの部分を板厚方向に貫通しており、この貫通部分に各カム部材１５，１５が設けられている。
　図３に示すように、カム部材１５は、円柱体をその軸心に対して斜めに切断した形状に形成された表裏一対の挟持プレート１７，１８と、この両挟持プレート１７，１８間に挟み込まれた短筒状の中央プレート１９とを備えており、これらの各プレート１７〜１９は回転軸４の軸方向に沿ってそれらを貫通する固定ビス２０によって一体化されている。
　【００１９】
　各挟持プレート１７，１８は、図外の回り止めピン等によって回転軸４に対して軸方向にも回転方向にも移動しないように固定されている。他方、中央プレート１９は、その表裏に両挟持プレート１８，１９の傾斜面を当接させた状態でその両プレート１７，１８に固定されている。従って、中央プレート１９は、その軸心が回転軸４に対して傾斜した状態で配置されており、同回転軸４に対して傾斜したカム面２１を外周部に備えている。
　この中央プレート１９は、マッサージ部材７のボス部２２に摺動自在に嵌め込まれており、このさい、中央プレート１９のカム面２１がボス部２２の端面に当接するようになっている。このため、マッサージ部材７は、回転軸７の軸心方向に対して傾斜した状態で同回転軸４に回転自在に連結されている。
　【００２０】
　図１及び図２に示すように、一つの揉み手段８を構成する左右のカム部材１５，１５の回転軸４に対する傾斜方向は互いに逆向きとなるように設定されており、これにより、左右一対のマッサージ部材７，７はその長手方向が互いに逆向きに傾斜した状態で接近離反するようになっている。
　前記ガイド部材１６は、マッサージ部材７の下縁中央部から下方に突設したガイドピン２３と、このガイドピン２３が係合するガイドレール２４とを備えている。図２に示すように、このガイドレール２４は、ベースプレート２における回転軸４の直下に同回転軸４と同じ方向に向けて延設されており、ガイドピン２３の突出端部を軸方向（図２の左右方向）に移動自在でかつその軸方向に直交する方向には移動できないようにガイドしている。
　【００２１】
　このため、各マッサージ部材７，７は、その下縁部に設けたガイドピン２３により、回転軸４の軸方向に移動するのを許容した状態で、同回転軸４に対して連れ回りするのが規制されるようになっている。
　一方、図１に示すように、左右一対のマッサージ部材７，７の長手方向中央部には回転軸４が貫通されており、この貫通部分に設けたカム部材１５の傾斜したカム面２１によって各マッサージ部材７，７を接近離反させているので、この各マッサージ部材７，７は、その長手方向一端部同士が近づくと同方向他端部同士が遠ざかり、かつ、その長手方向一端部同士が遠ざかると同方向他端部同士が近づくようになっている。
　【００２２】
　また、左右一対のマッサージ部材７，７は、ガイドピン２３によって回転軸４に対する連れ回りが規制されており、この状態で前記カム部材１５の傾斜したカム面２１によって駆動されるので、それらのマッサージ部材７，７が接近離反する際には、同マッサージ部材７の長手方向の下肢６の長さ方向（図１の上下方向）に対する傾斜度合いが順次変化するとともに、同マッサージ部材７の幅方向の下肢６の太さ方向（図２の上下方向）に対する傾斜度合いも順次変化するようになっている。
　【００２３】
　一方、本実施形態のマッサージ部材７は、板厚方向に弾性変形可能なプラスチック製の板ばねより構成されており、これにより、当該マッサージ部材７が下肢６を強く押圧し過ぎることによってユーザーが痛みを覚えるのを防止するようにしている。
　また、図１に示すように、左右一対のマッサージ部材７，７の押圧面のうち下肢６の足首の近傍に対応する部分には、発泡ウレタン樹脂等よりなるクッション材２５が固定されており、これにより、足首の近傍の比較的細い部分に対してもマッサージ部材７の押圧力が適切に作用するようになっている。このため、下肢７の下部側と上部側に対する押圧力が平均化され、下肢６の各部に対するマッサージ効果を均一化することができる。
　【００２４】
　なお、クッション材２５を設けないで、マッサージ部材７の押圧面そのものを下肢６の湾曲形状に適合した形状に形成することにより、両マッサージ部材７，７間に挟み込まれる下肢６の下部側に対応する部分を同下肢６の上部側に対応する部分よりも当該下肢６に近づく形状に形成することにしてもよい。
　次に、本実施形態の下肢用マッサージ機１の作用を説明する。
　まず、当該マッサージ機１によって人の下肢６をマッサージするには、人の両下肢６を各揉み手段８，８の左右一対のマッサージ部材７，７の間（施療凹部１３の内部）にそれぞれ挟み込み、駆動モータ５を作動させて前記駆動手段１４によって各マッサージ部材７，７を接近離反させればよい。このさい、各マッサージ部材７，７はその長手方向が互いに逆向きに傾斜した状態で接近離反し、その間に挟み込まれている下肢６をマッサージする。
　【００２５】
　図４〜図７は、その場合の揉み手段８によるマッサージ運動の仕方を示したものであり、このうち、図４及び図５は、各揉み手段８，８の時間的変化に伴う動きを示す平面図であり、図６及び図７は、図４及び図５に対応する正面図である。
　すなわち、図４（ｂ）は、図４（ａ）の状態から回転軸４が四分の一回転した状態を示し、図５（ｃ）は、図４（ａ）の状態から回転軸４が四分の二回転した状態を示し、図５（ｄ）は、図４（ａ）の状態から回転軸４が四分の三回転した状態を示している。また、図６（ａ）（ｂ）及び図７（ａ）（ｂ）は、それぞれ、図４（ａ）（ｂ）及び図５（ｃ）（ｄ）に対応する正面図である。
　【００２６】
　まず、図４（ａ）に示すように、各マッサージ部材７，７の幅方向上端縁７Ａは、その一端側が最も接近しかつ他端側が最も離反した状態となるように回転軸４に対して互いに逆向きに傾斜しており、図６（ａ）に示すように、各マッサージ部材７，７の長手方向一端縁７Ｂ及び他端縁７Ｃは回転軸４に対して垂直になっている。
　この図４（ａ）及び図６（ａ）の状態から回転軸４が図示ａ方向に四分の一回転すると、図４（ｂ）に示すように、各マッサージ部材７，７の幅方向上端縁７Ａ同士が互いに近づいて平行になって回転軸４に対して垂直になり、図６（ｂ）に示すように、各マッサージ部材７，７の長手方向一端縁７Ｂ及び他端縁７Ｃは、その上端側が最も近づいた状態になるように傾斜する。
　【００２７】
　この図４（ｂ）及び図６（ｂ）の状態から回転軸４が更に四分の一回転すると、図５（ｃ）に示すように、各マッサージ部材７，７の幅方向上端縁７Ａは、その一端側が最も離反しかつ他端側が最も接近した状態となるように回転軸４に対して互いに逆向きに傾斜し、図７（ｃ）に示すように、各マッサージ部材７，７の長手方向一端縁７Ｂ及び他端縁７Ｃは回転軸４に対して垂直になる。
　また、この図５（ｃ）及び図７（ｃ）状態から更に回転軸４が四分の一回転すると、図５（ｄ）に示すように、各マッサージ部材７，７の幅方向上端縁７Ａ同士が互いに離れて平行になって回転軸４に対して垂直になり、図７（ｄ）に示すように、各マッサージ部材７，７の長手方向一端縁７Ｂ及び他端縁７Ｃは、その上端側が最も離れた状態になるように傾斜する。
　【００２８】
　そして、この図５（ｄ）及び図７（ｄ）状態から更に回転軸４が四分の一回転すると、各マッサージ部材７，７は元の図４（ａ）及び図６（ａ）の状態に戻ることになる。
　このように、本実施形態の下肢用マッサージ機１によれば、下肢６の長さ方向に長い板状に形成された左右一対のマッサージ部材７，７が、単に下肢６に向かって平行移動するだけでなく、その接近離反の際に下肢６の長さ方向に対する長手方向の傾斜度合いが変化するので、マッサージ部材７が下肢６の長さ方向に渡る太さの異なる各部分を適切に押圧する。
　【００２９】
　このため、複数のマッサージ部材を下肢６の長さ方向に沿って並設しなくても、単一のマッサージ部材７によって下肢６の長さ方向に渡る広範囲の部分を適切にマッサージすることができる。また、各マッサージ部材７，７が接近離反する際に、下肢６の長さ方向に対する各マッサージ部材７，７の長手方向の傾斜度合いが変化するので、下肢６に対する揉み上げ又は揉み下げといった複雑なマッサージ運動を行うことができる。
　また、左右一対のマッサージ部材７，７の長手方向一端部同士が近づくと同方向他端部同士が遠ざかりかつその長手方向一端部同士が遠ざかると同方向他端部同士が近づくようになっている（図４（ａ）及び図５（ｃ）参照）ので、左右一対のマッサージ部材７，７の長手方向両端部によって下肢６の長さ方向に離れた施療部分を異なるタイミングで交互にマッサージすることができ、この点でも下肢６に対するマッサージ効果を向上することができる。
　【００３０】
　更に、両マッサージ部材７，７が接近離反する際に、その幅方向の下肢６の太さ方向に対する傾斜度合いも変化するようになっているので、下肢６の太さ方向においても、下肢６に対する揉み上げ又は揉み下げといった複雑なマッサージ運動を行うことができる。
　図８及び図９は、上記の下肢用マッサージ機１を用いた椅子型マッサージ装置２７の具体例を示している。
　このうち、図８のマッサージ装置２７は、座部２８を床に対して直に載置する座椅子型のものであり、人体の臀部を下方から支持する当該座部２８と、この座部２８の後端部に連結された背もたれ部２９と、を備えている。この背もたれ部２９の内部には揉み又は叩きマッサージを行えるマッサージ機構３０が上下移動自在に内蔵されており、座部２８の内部には背もたれ部２９の傾斜角度を切り換えるためのリクライニング機構（図示せず）が設けられている。
　【００３１】
　座部２８の前方にはフットレスト３１が配置されており、このフットレスト３１は、前記下肢用マッサージ機１を全体的に起毛布等よりなるカバー部材３２で覆うことによって構成されている。
　この椅子型マッサージ装置２７によれば、ユーザーは、座部２８に座った状態で背もたれ部２９内のマッサージ機構３０によって背中や首をマッサージしながら、座部２８の前方に配置されたマッサージ機１内蔵のフットレスト３１によって下肢６（特にふくらはぎ部分）をマッサージすることができる。
　【００３２】
　なお、上記フットレスト３１（下肢用マッサージ機１）は、座部２８に対して着脱自在に連結することにしてもよい。また、上記フットレスト３１は、座椅子２７とは別に、床やベッドの上に載置して使用する単体のマッサージ機として使用することもできる。
　図９のマッサージ装置２７は、座部２８を床から離れた高い所に配置した通常椅子型のものであり、人体の臀部を下方から支持する当該座部２８と、この座部２８を下方から支持する脚部３３と、座部２８の後端部に連結された背もたれ部２９と、を備えている。この背もたれ部２９の内部にも前記マッサージ機構３０が上下移動自在に内蔵されており、座部２８の内部には背もたれ部２９の傾斜角度を切り換えるためのリクライニング機構（図示せず）が設けられている。
　【００３３】
　座部２８の前端部には、内部に下肢用マッサージ機１を内蔵した前記フットレスト３１が上下揺動自在に連結されており、このフットレスト３１は、背もたれ部２９の傾斜角度に対応して座部２８に対する傾斜角度を変更できるようになっている。
　なお、本発明は上記実施形態に限定されるものではなく、例えば、単一の揉み手段８のみを有するものであってもよい。
　【００３４】
　【発明の効果】
　以上説明したように、本発明によれば、左右一対のマッサージ部材によって下肢の長さ方向に渡る広範囲の部分を押圧することができるので、複数のマッサージ部材を下肢の長さ方向に並設する必要がなく、下肢を広範囲かつ適切にマッサージできるマッサージ機を安価に得ることができる。
【図面の簡単な説明】
　【図１】
　下肢用マッサージ機の平面図である。
　【図２】
　下肢用マッサージ機の正面図である。
　【図３】
　図２のＡ−Ａ線断面図である。
　【図４】
　揉み手段によるマッサージ運動の仕方を示す平面図である。
　【図５】
　揉み手段によるマッサージ運動の仕方を示す平面図である。
　【図６】
　揉み手段によるマッサージ運動の仕方を示す正面図である。
　【図７】
　揉み手段によるマッサージ運動の仕方を示す正面図である。
　【図８】
　座椅子型マッサージ装置の斜視図である。
　【図９】
　通常椅子型マッサージ装置の斜視図である。
　【符号の説明】
　　１　下肢用マッサージ機
　　４　回転軸
　　５　駆動モータ
　　６　下肢
　　７　マッサージ部材
　　８　揉み手段
　１３　施療凹部
　１４　駆動手段
　１５　カム部材
　１６　ガイド部材
　２１　カム面
　２７　椅子型マッサージ装置
　２８　座部
　２９　背もたれ部
　３１　フットレスト